(57)【要約】本発明は、ウェブ・ページ・アクセスを更新するための方法及びシステムに関する。始めに、ユーザの検索要求に応じて、複数のハイパーテキスト・リンクを含むヒット・リストが生成される。前記ユーザは、対応するウェブサイトへアクセスするために、前記ハイパーテキスト・リンクの１つ、及び該選択されたウェブサイトにおける利用可能であろう他のリンクを選択し始める。前記ユーザがアクセスしたハイパーテキスト・リンクの履歴は監視され、更なる検索のために、前記ヒット・リストを含む前記ページへ元来た道を戻る際に、該ヒットリストは、該ユーザによって以前にアクセスされたハイパーテキスト・リンクを取り除くことにより、更新される。前記ヒット・リストは、また、予め定められた規準に従って、更新されても良い。
2005507527.tif 000002
【特許請求の範囲】
【請求項１】
ウェブ・ページ・アクセスを更新するための方法であって、
(a)ユーザによってなされる検索要求に応じて、複数のハイパーテキスト・リンクを有するヒット・リストを生成するステップと、
(b)前記ユーザに、前記ハイパーテキスト・リンクの少なくとも1つに接続された、対応するウェブサイトへのアクセスを可能とするステップと、
(c)前記ユーザによってアクセスされた前記ハイパーテキスト・リンクを識別するステップと、
(d)前記ヒット・リストから、前記識別されたハイパーテキスト・リンクを取り除くことによって、前記ヒット・リストを更新するステップと、
を有するウェブ・ページ・アクセスを更新するための方法。
【請求項２】
請求項１記載のウェブ・ページ・アクセスを更新するための方法であって、更に、
続く検索のために、前記ユーザに、前記更新されたヒット・リストを表示するステップ、
を有するウェブ・ページ・アクセスを更新するための方法。
【請求項３】
請求項１記載のウェブ・ページ・アクセスを更新するための方法であって、
前記ステップ(b)は、前記ユーザを、対応するウェブサイトへアクセスした後に、前記ヒット・リストへ戻すステップ、
を有するウェブ・ページ・アクセスを更新するための方法。
【請求項４】
請求項３記載のウェブ・ページ・アクセスを更新するための方法であって、更に
前記ステップ(b)から(d)を繰り返すステップ、
を有するウェブ・ページ・アクセスを更新するための方法。
【請求項５】
請求項１記載のウェブ・ページ・アクセスを更新するための方法であって、
前記ステップ(b)は、前記アクセスされたウェブサイトに設けられた他の相互リンクをアクセスするステップ、
を有するウェブ・ページ・アクセスを更新するための方法。
【請求項６】
請求項１記載のウェブ・ページ・アクセスを更新するための方法であって、更に、
予め定められた規準によって、前記更新されたヒット・リストを再配列するステップ、
を有するウェブ・ページ・アクセスを更新するための方法。
【請求項７】
ウェブ・ページ・アクセスを更新するための方法であって、
(a)ユーザから検索要求を受け付けるステップと、
(b)前記検索要求に関連する複数のハイパーテキスト・リンクを有するヒット・リストを生成するステップと、
(c)前記ユーザが、検索状態にある間に訪問する前記ハイパーテキスト・リンクの少なくとも1つを監視するステップと、
(d)前記ユーザによって訪問された前記監視されるリンクを、前記ヒット・リストから取り除くステップと、
(e)前記取り除くステップ(d)の結果に基づいて、新たなヒット・リストを再生するステップと、
を有するウェブ・ページ・アクセスを更新するための方法。
【請求項８】
請求項７記載のウェブ・ページ・アクセスを更新するための方法であって、
前記ステップ(c)は、前記ユーザによって選択された前記ハイパーテキスト・リンクの1つと接続された対応するウェブサイトを開き表示するステップ、
を有するウェブ・ページ・アクセスを更新するための方法。
【請求項９】
請求項８記載のウェブ・ページ・アクセスを更新するための方法であって、更に、
前記アクセスされたウェブサイトに設けられた他の相互リンクを開き表示するステップ、
を有するウェブ・ページ・アクセスを更新するための方法。
【請求項１０】
請求項７記載のウェブ・ページ・アクセスを更新するための方法であって、更に、
予め定められた規準によって、前記新たなヒット・リストを再配列するステップ、
を有するウェブ・ページ・アクセスを更新するための方法。
【請求項１１】
ユーザによってなされる検索要求に応じて、複数のハイパーテキスト・リンクを有するヒット・リストを生成する手段と、
前記ユーザが、該ユーザによって選択された前記ハイパーテキスト・リンクの少なくとも1つに接続された対応するウェブサイトへアクセスすることを可能とする手段と、
前記ユーザによってアクセスされた前記ハイパーテキスト・リンクを識別する手段と、
前記ユーザによって以前にアクセスされた前記識別されたハイパーテキスト・リンクを取り除くことによって、前記ヒット・リストを更新する手段と、
を有するウェブ・ページ・アクセスを更新するシステム。
【請求項１２】
請求項１１記載のシステムであって、更に、
対応するウェブサイトへアクセスすることの後に、前記ユーザを、前記ヒット・リストに戻す手段、
を有するシステム。
【請求項１３】
請求項１２記載のシステムであって、更に、
前記アクセスされたウェブサイトに設けられた他の相互リンクを開き表示する手段、
を有するシステム。
【請求項１４】
請求項１１記載のシステムであって、更に、
予め定められた規準によって、前記更新されたヒット・リストを再配列する手段、
を有するシステム。
【請求項１５】
コンピュータ読み取り可能な符号を記憶するためのメモリと、
前記メモリに結合されたプロセッサであって、
ユーザから検索要求を受け取り、
前記検索要求に関連する複数のハイパーテキスト・リンクを有するヒット・リストを生成し、
前記ユーザが、検索状態の間に訪問する前記ハイパーテキスト・リンクの少なくとも１つを監視し、
前記ユーザによって訪問された前記監視されるリンクを、前記ヒット・リストから取り除くことによって前記ヒット・リストを更新する該プロセッサと、
を有するウェブ・ページ・アクセスを更新するシステム。
【請求項１６】
請求項１５記載のシステムであって、更に、
前記ユーザによって選択された前記ハイパーテキスト・リンクの少なくとも１つに接続された、対応するウェブサイトを開き表示する手段、
を有するシステム。
【請求項１７】
請求項１６記載のシステムであって、更に、
前記対応するウェブサイトに設けられた他の相互リンクを開き表示する手段、
を有するシステム。
【請求項１８】
請求項１５記載のシステムであって、更に、
予め定められた規準によって、前記更新されたヒット・リストを再配列する手段、
を有するシステム。
【発明の詳細な説明】
【技術分野】
【０００１】
本発明は、ハイパーテキスト・リンク・システム、及び、特に、ユーザが、以前にアクセスされたウェブサイトへ再訪することを避けることができるように、ウェブサイトへのアクセスを更新するためのシステム、及び方法に関する。
【背景技術】
【０００２】
インターネットは、調査し、及び公衆を教育するための、最も広範に使用されるツールとなった。これは、「ブラウザ」として知られるソフトウェア・プログラムを使用することによって達成された。ワールド・ワイド・ウェブを使用することで、ユーザは広大な情報へのアクセスを与えられる。前記ブラウザは、ユーザに、インターネット上の様々なサイトを渡り歩くことを可能にする、グラフィカル・ユーザ・インタフェースを持つ。
【０００３】
典型的な例では、ユーザは、第1のハイパーテキスト・リンクを選択することによって検索を開始し、その後、該第一のリンクから接続された他のハイパーテキスト・リンクを通って、進路を決めることを決意するだろう。ハイパーリンクは、他のインターネットサイトの名称及びユニフォーム・リソース・ロケータ（ＵＲＬ）アドレスを含み、それにより、ユーザがハイパーテキスト・リンクをクリックした場合、前記ブラウザは、ユーザを選択されたハイパーテキスト・リンクへ導く。前記ユーザが、前記第１のハイパーテキスト・リンクから渡り歩くことを終了した場合、該ユーザは、通常、多数のハイパーテキスト・リンク（以降、「ヒット・リスト」という。）を含む、元のページへ戻る。この後、前記ユーザは、更なる情報を検索するために、次のハイパーテキスト・リンクを選択することを決意するだろう。
【発明の開示】
【発明が解決しようとする課題】
【０００４】
しかしながら、前記ヒット・リストの連続するリンクは、しばしば、前記ユーザによって以前に訪問されたリンクからの情報を含んでいることがある。前記ヒット・リストは、前記ユーザが前記リンクを既に訪問したことを示すことができないので、しばしば、該ユーザは、以前に訪問されたサイトでの多少の時間の渡り歩きの後に、そのことを悟る。このように、前記ユーザは、彼または彼女が既に通り過ぎたリンクを訪問するという時間を無駄にする。よって、検索状態の間、前記ユーザが、同一のサイトを再訪することを避ける、というインタフェースブラウザへの要求が存在する。
【課題を解決するための手段】
【０００５】
本発明は、前記ユーザが、連続する検索状態において、同一のサイトを再訪することを避けることができるように、該ユーザによって以前に訪問されたことのあるリンクを取り除くことによって、更新された該リンクを表示するためのシステム及び方法に関する。
【０００６】
本発明の観点は、ウェブ・ページ・アクセスの更新のための方法を提供する。前記方法は、ユーザによってなされる検索要求に応じて複数のハイパーテキスト・リンクを有するヒット・リストを生成し、前記ユーザに前記ハイパーテキスト・リンクの少なくとも1つに接続された対応するウェブサイトへのアクセスを可能とし、前記ユーザによってアクセスされた前記ハイパーテキスト・リンクを識別し、該ユーザによって以前にアクセスされた前記ハイパーテキスト・リンクを取り除くことにより前記ヒット・リストを更新し、更なる検索のために、該ユーザに該更新されたリストを表示すること、を含む。前記ハイパーテキスト・リンクは、クリック可能なイメージのリンクを有し、関連付けられたユニバーサルリソースロケータ（ＵＲＬ）アドレスを含む。前記更新されたヒット・リストは、予め決められた規準に従って、再配列されるだろう。
本発明の他の観点は、ユーザから検索要求を受け付け、該検索要求に関連した複数のハイパーテキスト・リンクを有するヒット・リストを生成し、該ハイパーテキストリンクの１つがユーザによって選択された時に対応するウェブサイトを開きかつ表示し、検索状態の間に該ユーザが訪れた該ハイパーテキストリンクの少なくとも１つを監視し、該ユーザによって訪問されたハイパーテキスト・リンクを該ヒットリストから取り除き、前記取り除きステップの結果に基づき及び予め定められた規準に従って新たなヒット・リストを再生する、というステップを含む、ウェブ・ページ・アクセスの更新のための方法を提供する。
【０００７】
本発明の他の観点は、ウェブ・ページ・アクセスを更新するためのシステムを提供する。前記システムは、ユーザによってなされる検索要求に応じて複数のハイパーテキスト・リンクを有するヒット・リストを生成する手段と、前記ユーザが該ユーザによって選択された前記ハイパーテキスト・リンクの少なくとも1つに接続された対応するウェブサイトへアクセスすることを可能とする手段と、前記ユーザによってアクセスされた前記ハイパーテキスト・リンクを識別する手段と、前記ユーザによって以前にアクセスされた前記識別されたハイパーテキスト・リンクを取り除くことによって、前記ヒット・リストを更新する手段を含む。前記システムは、更に、対応するウェブサイトへアクセスすることの後に、前記ユーザを前記ヒット・リストに戻す手段、及び前記アクセスされたウェブサイトに設けられた他の相互リンクを開き表示する手段、を含む。前記ヒット・リストは、更に、予め定められた規準に従って、再配列されても良い。
【発明を実施するための最良の形態】
【０００８】
本発明の方法及び装置の、より完全な理解は、添付の図面とともに用いられる、以下の詳細な説明を参照することにより、得ることができる。
以下の説明では、制限のためではなく説明の目的で、本発明の完全な理解を提供するために、特定の詳細は、特定のアーキテクチャ、インタフェース、技術、その他のようなものとして述べられる。不必要な詳細で本発明の説明を分かりにくくしないように、簡略化と明確化のために、周知の装置、回路、及び方法の詳細な説明は、省略される。
【実施例１】
【０００９】
図１は、本発明の実施例によるコンピュータ・システムの図である。図１は、ユーザ入力装置、キーボード２及びマウス４、を有し、サーバー６を介してインターネット８に接続されたコンピュータ・システム１０を示している。図１のコンピュータ・システム１０は汎用コンピュータであるが、特別注文のハードウェアもまた、開示された発明を実現するために使用され得る、ということが理解されるだろう。コンピュータ・システム１０は、通信経路を介して、他のコンピュータ又は他の端末が接続される大型コンピュータ・システムへ接続されるだろう。よって、コンピュータ・システム１０に実現されたブラウザを使用することで、インターネット経路を介した、多数のウェブサイトへのアクセスが達成できる。前記アクセスされた文書は、ＨＴＭＬ文書の形で示される。いかなる数の商業的に又は公的に利用可能なブラウザも、本発明の好ましい実施例による様々な実現に利用され得る、ということに留意されるべきである。
【００１０】
図２は、少なくとも、プロセッサ、ランダム・アクセス・メモリ、及びバスを有するコンピュータ・システム又はワークステーションを有し、オペレーティング・システム上で動作する、本発明の模範的な実施例を、図解する。特に、コンピュータ・システム１０は、情報を伝達するためのバス１２又は他の通信手段、バス１２に結合され、情報を処理するためのプロセッサ１４又は他の処理手段、プロセッサ１４によって命令の実行の最中に生成される他の中間情報と同様に、プロセッサ１４によって実行されるべき命令及び情報を記憶するためのメモリ１６又は動的記憶手段、プロセッサ１４によって処理される情報を表示するためのディスプレイ１８、プロセッサ１４のための静的情報及び命令を記憶するための読み出し専用メモリ（ＲＯＭ）２０、インターネット・ネットワークに接続するためのインターネット接続２２、及び該ユーザによって入力される情報を入力するための入力インタフェース２４、を有する。メモリ１６に存在し、プロセッサ１４によって実行されるオペレーティング・システムは、システム１０の他の要素の動作を統合する。特に、前記オペレーティング・システムは、システム資源の割当て、及び処理、スケジューリング、メモリ管理、ネットワーク処理、及び入出力サービス、その他のもののような、タスクの実行を制御する。説明は、特定のコンピュータ・システムを説明する際に、共通に使用される言葉に言及するかもしれないが、該説明及び概念は、等しく、図２に示されるアーキテクチャとは異なるアーキテクチャを有するシステムを含む、他の処理システムにも適用される。更に、本開示の文書におけるコンピュータ・システム１０は、ラップトップコンピュータ、携帯電話、及びパーソナル・デジタル・アシスト（ＰＤＡ）、パーソナル・コミュニケーション・アシスタント（ＰＣＡ）、電子手帳、対話式のテレビ／セット・トップ・ボックスのリモコン、又はインターネットへアクセス可能ないかなる同時相通和式装置、のような他の携帯コンピュータ装置、を含む、ということに留意されるべきである。
【００１１】
動作中、ウェブブラウザは、プロセッサ１４に、様々なウェブサイトから、情報を検索し、ダウンロードすることを指示し、そして、ディスプレイ１８を介して、前記ユーザに情報を表示する。検索状態において、前記ユーザは、典型的には、インターネットからの情報にアクセスするために、入力インタフェース２４を介して、多数の質問を入力する。ポインティングデバイス（すなわち、キーボード２及びマウス４）を使用して質問を入力することは、コンピュータ技術において周知であり、更なる説明を必要としない。前記ブラウザは、要求された主題に関連するハイパーテキスト・リンクの数を含むヒット・リストを生成し、該ヒットリストをメモリ１６に記憶する。その後、前記ユーザは第１のハイパーテキスト・リンクを選択し始め、該第１のハイパーテキスト・リンクに関連する情報を渡り歩く。前記ユーザは、前記第１のハイパーテキスト・リンクから張られている他のハイパーテキスト・リンクへ渡り歩くことを決定しても良い。前記ユーザが前記第１のハイパーテキスト・リンクからの道を渡り歩くことを終了した場合、該ユーザは、更なる検索のために他のハイパーテキスト・リンクを選択するため、前記ヒット・リストを含む元のページへ戻る。この目的のために、前記ユーザは、通常、前記元のページへのリンク通って元来た道を戻り、そこで、該ユーザは第２のハイパーテキスト・リンクを選択することができる。同時に、プロセッサ１４は、前記第１のハイパーテキスト・リンク又は前記ユーザによって通り抜けられた他の相互リンクのアドレスを、前記ヒット・リストから取り除くことによって、該ヒットリストを更新し、このため、当該ヒット・リストは、該ユーザが既に訪問した、いかなるハイパーテキストリンクアドレスも含まない。よって、前記ユーザは、以前にアクセスされたリンクを再訪することを避けることができ、このように、連続する検索状態において、時間を節約する。
【００１２】
本発明の選択された実施例は、コンピュータ・システム１０において実行されるコンピュータ・ソフトウェアである。コンピュータ・プログラム（又はコンピュータ制御論理）は、メモリ１６に記憶される。このようなコンピュータ・プログラムは、実行される際に、コンピュータ・システム１０が、ここに明らかにされるように、本発明の機能を実行できるようにする。
【００１３】
図３は、本発明によるウェブ・ブラウジング・ソフトウェアに組み込まれる処理ステップを、非常に詳細に図解するフローチャートである。矩形の要素は、コンピュータ・ソフトウェア・命令を示し、ダイヤモンド型の要素は、該矩形ブロックによって表現されたコンピュータ・ソフトウェア命令の実行に影響を及ぼすコンピュータ・ソフトウェア命令を表現する。
【００１４】
ステップ１００において、前記ユーザはインターネットからの検索を指示するための多数のキーワードを入力する。ステップ１１０において、前記ブラウザは、関連するリンク先のリストを編集し、図４に示されているようなヒット・リストを生成する。ウィンドウ２００に示されるハイパーテキスト・リンクの前記リストは、次の読み出しのために、一時的にメモリ１６に保存される。図４に示されているように、ウィンドウ２００は、検索キーワード「テレビ」を含む検索結果の最初の組を、検索におけるキーワードに関連するヒットの割合に応じて表示する。ステップ１２０において、前記ユーザは、特定のウェブアクセスを渡り歩くために、リンク２１０を表現している文をクリックすることにより、最初の項目を選択し始める。図５は、例示目的で、前記ヒット・リストに示されている、対応する検索結果のウェブアドレスを図解している。前記ユーザがリンク２１０を選択した場合、前記ブラウザは、情報をダウンロードするために、ＵＲＬ：http//www.ABC.comのウェブサイトに入り、引き出した情報をコンピュータモニタに表示する。ステップ１３０において、ダウンロードされたページが、他のウェブサイトへのリンクを含んでいる場合、前記ブラウザは、前記ユーザが訪問する該リンクの道筋を保持する。
【００１５】
その後、ステップ１４０において、前記ユーザが、更なる検索のために、ヒット・リスト・ページへ戻ることを決定するかどうかということが、決定される。典型的な例では、前記ユーザは、「戻る」ボタンをクリックすることにより、ヒット・リスト・ページへ元来た道を戻るに違いない。代替的に、幾つかのブラウザは、前記ユーザに、単にボタン、すなわち「更新」又は「クリア」ボタン、を押すことによって、元来た道を戻ることをせずに、前記ヒット・リストへ戻る際における時間を節約することを可能とする。ステップ１４０において、そのようなボタン又は元来た道を戻ることが実行された場合、前記ブラウザは、どのウェブサイトが前記ユーザによって訪問されたのかということを決定し、次いで、ステップ１５０において、前記ヒット・リストから、以前に訪問したサイトを取り除く。最後に、ステップ１６０において、前記ブラウザは、前記ユーザによって、以前に訪問された、繰り返されるリンク、前記ユーザによって訪問された他の相互リンクを含む、を持たない、図６に示されているような、新たなヒット・リストを生成する。それは、前記ブラウザが、前記ユーザによってアクセスされたＵＲＬ及び文書の名前を削除するということである。例えば、前記ユーザはリンク２１０を既に訪問しており、リンク２４０のウェブアドレスがリンク２１０と同一であるので、該リンク２１０及び該リンク２４０の両者は、図６に示されるように、次いで生成されるヒット・リストには示されないだろう。加えて、前記新たなリストを生成する場合、前記ブラウザは、該新たなヒット・リストが、一定のヒットの割合を有する、連続するハイパーテキスト・リンクのみを含んでも良いように、実現され得る。例えば、前記新たなヒット・リストは、図６に示されるように、ヒット率５０パーセントよりも少ないリンクを含まなくても良い。
【００１６】
以上に説明した様々なステップは、アプリケーションプログラムに組み込まれた機能に、該ステップをプログラミングすることによって実現されるだろうし、この分野における通常の技術を有するプログラマーが、Ｃ、Ｖｉｓｕａｌ  Ｂａｓｉｃ、Ｊａｖａ，Ｐｅｒｌ、Ｃ＋＋、及びそのような原語による通例のプログラミング技術を使用することにより、当該ステップを実現することができる。
【００１７】
以上のことから明らかなように、本発明は、各検索期間の間に、前記ユーザによって以前に訪問された、繰り返されるリンクデータ及びグラフィックテキストデータ項目を渡り歩くことを避ける仕組み、このように、一度よりも多く該項目を表示することに関する時間及びオーバヘッドを避けること、を提供する。
【００１８】
本発明の好ましい実施例は、図解され、説明されたので、本発明の本来の範囲から逸脱することなしに、いわゆる当業者によって様々な変更及び変形が行われても良いということが理解されるだろうし、該実施例における要素の代わりに、均等物が用いられても良いだろう。加えて、多くの変形が、中心範囲から離れることなく、特定の状況及び本発明の教えに適合させるために成されるだろう。したがって、本発明は、本発明を実現するために熟考された最良の形態として開示された特定の実施例に制限されないということが意図され、本発明が、添付された請求項の範囲の中に含まれる全ての実施例を含むということが意図される。
【図面の簡単な説明】
【００１９】
【図１】図１は、本発明の実施例が適用されているコンピュータ・ワークステーションを図解した簡略図である。
【図２】図２は、本発明の実施例に従い、前記コンピュータ・ワークステーションの回路図を簡略化したものである。
【図３】図３は、本発明の実施例による方法の概要を提供するフローチャートである。
【図４】図４は、本発明によるブラウザのウィンドウ表示である。
【図５】図５は、本発明による、図４に示されたウィンドウ表示のハイパーテキスト・リンク情報を提供する図である。
【図６】図６は、本発明によるブラウザのウィンドウ表示である。
【図１】
2005507527.tif 000003
【図４】
2005507527.tif 000004
【図５】
2005507527.tif 000005
【図６】
2005507527.tif 000006
【国際公開パンフレット】
2005507527.tif 000007
2005507527.tif 000008
2005507527.tif 000009
2005507527.tif 000010
2005507527.tif 000011
2005507527.tif 000012
2005507527.tif 000013
2005507527.tif 000014
2005507527.tif 000015
2005507527.tif 000016
2005507527.tif 000017
2005507527.tif 000018
2005507527.tif 000019
2005507527.tif 000020
2005507527.tif 000021
【国際公開パンフレット（コレクトバージョン）】
2005507527.tif 000022
【国際調査報告】
2005507527.tif 000023
2005507527.tif 000024
2005507527.tif 000025